(57)【要約】      （修正有）【課題】床や壁等に石張りのような雰囲気を容易に出せる敷設構造物を提供する。【解決手段】敷設構造物１は、地面や建物の躯体壁面等１００上に配置される第１の層２と第１の層２の表面上に設けられる複数の樹脂を含む第２の層３とを有している。各第２の層３は、目地（溝部）４により互いに仕切られ石張りのような模様を形成している。目地４は、幅の異なる目地テープを剥がした跡に形成される模様である。【選択図】図２
0003229336.tif 000002
【実用新案登録請求の範囲】
【請求項１】
樹脂を含む第１の層と、
幅の異なる目地テープが剥がされた跡に形成される目地を隔てて前記第１の層上に配置される樹脂を含む複数の第２の層と、
を有することを特徴とする敷設構造物。
【請求項２】
前記目地は、前記第２の層と同じ物質が前記目地テープにより剥がされることにより形成される請求項１に記載の敷設構造物。
【考案の詳細な説明】
【技術分野】
【０００１】
本考案は敷設構造物に関する。
【背景技術】
【０００２】
例えば、大小様々な大きさ、形に割った石を貼り合わせていく工法として、乱形石貼りが知られている。石を成形し、所定間隔隔てて成形した石を設置し、そこに目地セメントで目地入れをして、目地以外に目地セメントが付着した部分を拭き取り、石張りを完成させている。
【先行技術文献】
【非特許文献】
【０００３】
【非特許文献１】有限会社  光匠園、［online］、令和１年１１月２日、有限会社  光匠園、［令和２年８月２１日検索］、インターネット〈URL：http://www.kosyoen.jp/dictionary/detail.php?id=39〉
【考案の概要】
【考案が解決しようとする課題】
【０００４】
石を加工したり、同じ間隔で石を敷き詰めたりする場合、加工が大変であり、職人の腕前に依存するところが大きい。
１つの側面では、本考案は、床や壁等に石張りのような雰囲気を容易に出せることを目的とする。
【課題を解決するための手段】
【０００５】
上記目的を達成するために、開示の敷設構造物が提供される。この敷設構造物は、樹脂を含む第１の層と、幅の異なる目地テープが剥がされた跡に形成される目地を隔てて第１の層上に配置される樹脂を含む複数の第２の層と、を有している。
【考案の効果】
【０００６】
１態様では、床や壁等に石張りのような雰囲気を容易に出せる。
【図面の簡単な説明】
【０００７】
【図１】実施の形態の敷設構造物を示す図である。
【図２】実施の形態の敷設構造物の構造を説明する図である。
【図３】敷設構造物の製造方法の一例を説明する図である。
【図４】敷設構造物の製造方法の一例を説明する図である。
【図５】敷設構造物の製造方法の一例を説明する図である。
【図６】敷設構造物の製造方法の一例を説明する図である。
【図７】敷設構造物の製造方法の一例を説明する図である。
【図８】敷設構造物の製造方法の一例を説明する図である。
【図９】敷設構造物の製造方法の一例を説明する図である。
【図１０】敷設構造物の製造方法の一例を説明する図である。
【図１１】敷設構造物の製造方法の一例を説明する図である。
【図１２】敷設構造物の製造方法の一例を説明する図である。
【図１３】敷設構造物の製造方法の一例を説明する図である。
【図１４】敷設構造物の製造方法の一例を説明する図である。
【図１５】敷設構造物の製造方法の一例を説明する図である。
【図１６】敷設構造物の製造方法の一例を説明する図である。
【図１７】敷設構造物の製造方法の一例を説明する図である。
【考案を実施するための形態】
【０００８】
以下、実施の形態の敷設構造物を、図面を参照して詳細に説明する。
以下の図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲等に限定されない。
実施の形態において単数形で表される要素は、文面で明らかに示されている場合を除き、複数形を含むものとする。
＜実施の形態＞
【０００９】
図１は、実施の形態の敷設構造物を示す図である。
実施の形態の敷設構造物１は、例えば、平面矩形状をなす。敷設構造物１は例えば、地面や建物の躯体壁面等に配置することができる。
図２は、実施の形態の敷設構造物の構造を説明する図である。
【００１０】
敷設構造物１は、前述した地面や建物の躯体壁面等１００上に配置される第１の層２と第１の層２の表面上に設けられる複数の第２の層３とを有している。各第２の層３は、目地（溝部）４により互いに仕切られ石張りのような模様を形成している。この目地４は、例えば後述する目地テープを剥がした跡に形成される模様である。
【００１１】
第１の層２の構成材料は、特に限定されないが、例えば、ポリマー乳化形粉末樹脂、エチレン酢酸ビニル系、アルミン酸カルシウム、硫酸カルシウム、硫酸アルミニウムカリウム、および無機顔料の混合剤を用いることができる。
【００１２】
第２の層３の構成材料は、特に限定されないが、例えば、ポリマー乳化形粉末樹脂、セメント系アクリル共重合体再乳化形粉末樹脂、アルミン酸カルシウム、硫酸カルシウム、硫酸アルミニウムカリウム、およびエチレン酢酸ビニル系および無機顔料の混合剤を用いることができる。無機顔料の色を調整することで、施設構造物１の第１の層２及び第２の層３の色の組合せを任意に調整することができる。
なお、第１の層２と第２の層３との間には下地処理剤（シーラー）等が存在していてもよい。図２では図示を省略している。
以下、敷設構造物の製造方法の一例を説明する。
【００１３】
図３〜図１７は、敷設構造物の製造方法の一例を説明する図である。
図３に示すように、本実施の形態では木枠５０上にテープ５１を貼って区切ることにより施工範囲を形成する。テープにより区切られた領域５２が施工範囲である。
次に、図４に示すように、領域５２に下地処理剤５３を塗る下地シーラー処理を施す。
【００１４】
次に、図５に示すように、下地処理剤５３が塗られた施工範囲に目地材５４を隙間無く塗りつけ、図６に示すように、目地材５４が硬化するまで乾かす。硬化するまでの時間の一例は３０分である。目地材５４の構成材料は、前述した第１の層２の構成材料と同じである。図７は硬化した目地材５４を示している。
【００１５】
目地材５４の表面が乾燥した後に、図８に示すように目地材５４の表面に下地処理剤５５を隙間無く塗るシーラー処理を再度施し、図９に示すように、３０分程度乾燥させる。
【００１６】
次に、図１０に示すように、幅が一様でない（幅が広い部分と狭い部分が混在する）目地テープ６０用意する。図１１に示すように、この目地テープ６０を乱形に貼り付けて、模様を形成する。図１２に示すように、目地テープ６０の端は、テープ５１に乗るようにする。
次に、図１３に示すように、第２の層３と同じ構成材料である装飾材５６を下地処理剤５５および目地テープ６０の上に塗る。塗った後に乾燥させる。
【００１７】
装飾材５６が乾燥すると、図１４に示すように、テープ５１を把持して剥がす。これにより、図１５に示すように、目地テープ６０の端部が現れる。図１６に示すように、現れた目地テープ６０を把持して端から剥がしていく。これにより目地テープ６０の下部に存在する乾燥した装飾材５６が、目地テープ６０により剥がされ目地材５４が現れ目地４が形成される。
【００１８】
目地テープ６０を剥がし終えると、図１７に示すように、ほうき等を用いて剥がした装飾材５６を除去する。これにより、図１に示すような施設構造物１ができあがる。
【００１９】
以上述べたように、施設構造物１によれば、樹脂を含む第１の層２と、幅の異なる目地テープ６０が剥がされた跡に形成される目地４を隔てて第１の層２上に配置される樹脂を含む複数の第２の層３と、を有する。
従って、目地を容易に形成することができ、石の加工や石の敷き詰め等が不要であり、床や壁等に石張りのような雰囲気を容易に出せる。
【００２０】
以上、本考案の敷設構造物を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
また、本考案は、前述した各実施の形態のうちの、任意の２以上の構成（特徴）を組み合わせたものであってもよい。
【符号の説明】
【００２１】
１  敷設構造物
２  第１の層
３  第２の層
４  目地
【図１】
0003229336.tif 000003
【図２】
0003229336.tif 000004
【図３】
0003229336.tif 000005
【図４】
0003229336.tif 000006
【図５】
0003229336.tif 000007
【図６】
0003229336.tif 000008
【図７】
0003229336.tif 000009
【図８】
0003229336.tif 000010
【図９】
0003229336.tif 000011
【図１０】
0003229336.tif 000012
【図１１】
0003229336.tif 000013
【図１２】
0003229336.tif 000014
【図１３】
0003229336.tif 000015
【図１４】
0003229336.tif 000016
【図１５】
0003229336.tif 000017
【図１６】
0003229336.tif 000018
【図１７】
0003229336.tif 000019